(57)【要約】【課題】器具本体と光源ユニットとが分離する照明器具であって、光源ユニットの変形を抑制可能な照明器具を提供する。【解決手段】長尺状の光源ユニット３と、光源ユニット３が取り付けられる器具本体２とを備える照明器具１であって、光源ユニット３の少なくとも一部を収容する収容凹部２２を有し、光源ユニット３は、複数の光源３３２が実装された光源基板３２１と、光源基板３２１が取り付けられる支持体３１と、光源基板３２１を覆うようにして支持体３１に取り付けられるカバー部３３とを備え、光源ユニット３が器具本体２に取り付けられた状態では、カバー部３３は収容凹部２２の開口端縁に接触せずに、支持体３１が収容凹部２２の開口端縁に接触する。【選択図】図１
2019207784.tif 000002
【特許請求の範囲】
【請求項１】
長尺状の光源ユニットと、前記光源ユニットが取り付けられる器具本体とを備える照明器具であって、
前記器具本体は、
前記光源ユニットの少なくとも一部を収容する収容凹部を有し、
前記光源ユニットは、
複数の光源が実装された光源基板と、
前記光源基板が取り付けられる支持体と、
前記光源基板を覆うようにして前記支持体に取り付けられるカバー部とを備え、
前記光源ユニットが前記器具本体に取り付けられた状態では、前記カバー部は前記収容凹部の開口端縁に接触せずに、前記支持体が前記収容凹部の開口端縁に接触する
ことを特徴とする照明器具。
【請求項２】
前記支持体において、前記光源基板が取り付けられている底板部の、前記光源基板が取り付けられる面の反対面は、前記開口端縁と接触している面よりも前記収容凹部の底面に近い
請求項１記載の照明器具。
【請求項３】
前記支持体は、前記光源基板が取り付けられる面の反対面における前記開口端縁に接触する部分よりも内側において、前記収容凹部側に立設した移動規制部を備える
請求項１又は２記載の照明器具。
【請求項４】
前記カバー部は、内向きに突出する断面クランク状に形成された係合部を備え、
前記支持体は、前記光源基板が取り付けられる面側が開口し、前記係合部に係合する係止溝部を備える
請求項１から３のいずれか１項記載の照明器具。
【請求項５】
前記カバー部は、前記支持体の長辺端の一部を覆う導光部を備えた
請求項１から４のいずれか１項記載の照明器具。
【発明の詳細な説明】
【技術分野】
【０００１】
本発明は、照明器具に関し、特に、器具本体と光源ユニットとが分離する照明器具に関する。
【背景技術】
【０００２】
天井に配される照明器具の１つに、光源ユニットと、光源ユニットを収容する凹部を有した器具本体とを備えるものがある（特許文献１参照）。この照明器具では、器具本体が備えるバネ受けに、光源ユニットが備える取付バネが引っかけられると、取付バネの弾性力により光源ユニットが照明器具側に引き寄せられて、器具本体に光源ユニットが収容される。
【先行技術文献】
【特許文献】
【０００３】
【特許文献１】特開２０１４−０７８４２２号公報
【発明の概要】
【発明が解決しようとする課題】
【０００４】
上述の照明器具においては、器具本体の凹部に光源ユニットが収容された場合に、凹部の開口端縁と光源ユニットのカバーの端部とが接触する。ここで、開口端縁は金属製であり、光源ユニットのカバーは樹脂製である。上述の弾性力により、金属製である開口端縁に光源ユニットの樹脂部分が押しつけられることになるため、樹脂部分に圧力がかかり、例えば長期間の使用において徐々に変形するなどの可能性がある。
【０００５】
本発明は、係る問題に鑑みてなされたものであり、光源ユニットの変形を抑制可能な照明器具を提供することを目的とする。
【課題を解決するための手段】
【０００６】
上記課題を解決するために本発明に係る照明器具は、長尺状の光源ユニットと、前記光源ユニットが取り付けられる器具本体とを備える照明器具であって、前記器具本体は、前記光源ユニットの少なくとも一部を収容する収容凹部を有し、前記光源ユニットは、複数の光源が実装された光源基板と、前記光源基板が取り付けられる支持体と、前記光源基板を覆うようにして前記支持体に取り付けられるカバー部とを備え、前記光源ユニットが前記器具本体に取り付けられた状態では、前記カバー部は前記収容凹部の開口端縁に接触せずに、前記支持体が前記収容凹部の開口端縁に接触する。
【発明の効果】
【０００７】
上述の構成により、本発明に係る照明器具は、開口端縁に光源ユニットのカバー部が押しつけられることがないため、カバー部に圧力がかかることにより変形してしまうのを抑制することができる。
【図面の簡単な説明】
【０００８】
【図１】本発明の一実施形態に係る照明器具の構成を示す断面模式図
【図２】図１の照明器具の外観を示す斜視図
【図３】図２の照明器具における、器具本体と光源ユニットとを分離した図
【図４】器具本体が備えるバネ受けを示す図
【図５】光源ユニットの構成を示す図
【図６】カバー部を短手方向からみた側面図
【図７】（ａ）光源ユニットを構成するエンドキャップを示す斜視図、（ｂ）支持体にエンドキャップを取り付け、切り欠きが構成する孔にシリコンチューブを被せた配線を通した状態を示す模式図
【図８】（ａ）光源ユニットを構成する取付バネ部を示す図、（ｂ）取付バネ部を構成するバネ保持部を示す斜視図、（ｃ）バネ保持部を側面から見た図
【図９】（ａ）光源ユニットを構成する支持体を示す上面図（光源部を配する側）、（ｂ）支持体を短手方向からみた正面断面図
【図１０】（ａ）抑え部材の構成を示す斜視図、（ｂ）抑え部材を取り付けた支持体を平面視した場合を示す模式図、（ｃ）（ｂ）のＡ−Ａ断面を模式的に示す図
【図１１】（ａ）本発明の変形例に係る、取り付け対象を取り付けた支持体を模式的に表す側面図、（ｂ）ネジを締め付ける部分を、予めネジ切りしたリブを模式的に表す模式上面図
【図１２】本発明の変形例に係る、シート抑えを備えた抑え部材の構成を示す斜視図
【発明を実施するための形態】
【０００９】
＜１．第１の実施形態＞
＜１．１．概要＞
以下、本発明の一実施形態に係る照明器具１について図面を参照しながら説明する。照明器具１は、図１に示すように、器具本体２に光源ユニット３が取り付けられて成る。照明器具１は、図２に示すように、一例として長尺状の形状を有し、取付対象の一例としての天井面に取り付けられ、室内側に光を照射する。
【００１０】
器具本体２は、図３に示すように、一の面に収容凹部２２が形成された箱状の外観を有し、外観を構成する筐体２１は、板金を曲げ加工して形成される。光源ユニット３は、光源（図１の光源３２２ａ、光源３２２ｂ、・・・参照）の一例としてＬＥＤ（Ｌｉｇｈｔ  Ｅｍｉｔｔｉｎｇ  Ｄｉｏｄｅ）を備えた長尺状の部材である。光源ユニット３は、図３に示すように樹脂製のカバー部３３を有する。光源ユニット３は、照明器具１の外部方向へ光を照射する向きに、収容凹部２２に少なくとも一部が収容される状態で取り付けられる。収容に関し、器具本体２は、収容凹部２２における開口面と対向する底面部２２１に、バネ受け２４及び２５を備える。また、光源ユニット３は、収容凹部２２に収容された状態において底面部２２１に対向する面に取付バネ部３５及び３６を備える。
【００１１】
器具本体２に光源ユニット３を収容する場合、ユーザが、まず取付バネ部３５をバネ受け２４に係合し、取付バネ部３６をバネ受け２５に係合する。その状態で、ユーザが光源ユニット３を収容凹部２２の底面部２２１の方へ近づけていくと、取付バネ部３５及び３６の弾性力により光源ユニット３が収容凹部２２の奥、すなわち底面部２２１方向に引き寄せられ、収容凹部２２内に光源ユニット３の一部が収容された状態で、光源ユニット３が器具本体２に固定される。このとき、光源ユニットの支持体３１が器具本体２の開口端縁２２８に当接する。樹脂部分であるカバー本体部３３１は器具本体２に当接せずに一定の間隔ＧＡ（図１参照）を保つ。このため、照明器具１においては、金属製である開口端縁に光源ユニットの樹脂部分が押しつけられることはなく、樹脂部分に圧力がかかり光源ユニット３が変形するという問題は生じない。
【００１２】
以下、照明器具１について、より詳細に説明する。なお、本明細書において参照する各図は、本発明の理解を容易にするために構成の一部を省略、誇張して表わすなど模式的に表している。また、左右対称な形状を有する部材の構成について説明する際に、明らかに同じ説明の繰り返しとなる場合に、左右の一方についてのみ説明して繰り返しを避けている場合がある。
【００１３】
＜１．２．器具本体２＞
器具本体２は、図３に示すように、筐体２１、バネ受け２４、バネ受け２５及び電源端子台２７を備える。
【００１４】
筐体２１は、一の面に収容凹部２２が形成された箱状の部材であり、器具本体２の外観を構成する。筐体２１の断面形状は、一例として収容凹部２２の開口端縁２２８より延びる反射板部２１１及び２１２を備えた、いわゆる逆富士形である。なお、筐体２１は、逆富士形以外にトラフ形、下面開放形などの形状であってもよい。
【００１５】
収容凹部２２は、図２及び図３に示すように、長尺状の底面部２２１の長辺から長辺側面部２２２、２２３が起立し、底面部２２１の短辺から短辺側面部２２４、２２５が起立して成る。底面部２２１には、天井面５から露出し照明器具１に電力を供給するための電源ケーブル８などの電線を通すための孔が長手方向に沿って複数設けられている。また、底面部２２１には、天井面５から露出する吊りボルト（一例として６ａ、７ａ）を通すための孔が長手方向における両端寄りの位置に２個設けられている。図３に示すように、これらの孔に吊りボルト６ａ及び７ａがそれぞれ通されたのち、吊りボルト６ａ及び７ａにナット部材（一例として６ｂ、７ｂ）が締め付けられることで、器具本体２が天井面５に固定される。
【００１６】
底面部２２１には、上述のようにバネ受け２４、２５が配され、また電源端子台２７が配されている。バネ受け２４は、取付バネ部３５が係合されるバネブラケットである。バネ受け２４は、金属板を孔あけ加工、折り曲げ加工等して形成される部材であり、図４に示すように、フック部２４１及び挿通孔２４２を有する。フック部２４１は、幅広で扁平なフック形状を有する。フック部２４１には、後述する光源ユニット係止状態において、取付バネ３５１のフレーム部３５１ａ（図８（ａ）参照）が、引っ掛けられる。挿通孔２４２は、略矩形状の孔であり、後述する光源ユニット設置状態において、取付バネ３５１のフレーム部３５１ａが挿通される。バネ受け２５は、取付バネ部３６に係合されるバネブラケットであり、バネ受け２４と同様の構成を有する。電源端子台２７は、外部の電源と電源部３４とを接続するための電線（電源ケーブル８など）を相互に接続する機能を有する。
【００１７】
＜１．３．光源ユニット３＞
光源ユニット３は、図３及び図５に示すように、支持体３１、光源部３２、及びカバー部３３、電源部３４、取付バネ部３５及び取付バネ部３６を有する。
【００１８】
＜光源部３２＞
光源部３２は、図１及び図５に示すように、長尺状の光源基板３２１上に、複数の光源３２２（光源３２２ａ、光源３２２ｂ、・・・）の一例として表面実装型ＬＥＤが長手方向に間隔を空けて列状に配されてなる。光源３２２を配置する列数は、図１に示すように２列としているが、１列でもよいし、３列以上としてもよい。光源部３２は、光源３２２が露出する向きに、支持体３１に固定される。
【００１９】
＜カバー部３３＞
カバー部３３は、図５に示すように、カバー本体部３３１、エンドキャップ３３２、及びエンドキャップ３３３を備える。カバー部３３は、光源３２２が射出する光を拡散する機能を有する。
【００２０】
＜カバー本体部３３１＞
カバー本体部３３１の形状は、短手方向からみて左右対称となっている。カバー本体部３３１は、拡散性を有する材料（例えば乳白色のアクリル樹脂あるいはポリカーボネート樹脂）で構成されており、光源部３２の光源３２２を覆うよう配される。カバー本体部３３１は、図６に示すように、短辺側断面が凸状のアーチ形状を有する長尺状の部材であり、押出成形により形成される。
【００２１】
カバー本体部３３１は、図６に示すように、主部３３１ａと、係合部３３１ｂと、導光部３３１ｃとを有する。主部３３１ａは、カバー本体部３３１の中央に位置し、断面アーチ状の板状の部分である。係合部３３１ｂは、主部３３１ａの一端から突出した部分であり、支持体３１に係合される。係合部３３１ｂは、一例として、支持体３１に設けられた溝に係合するクランク状に形成されている。係合部３３１ｂは、主部３３１ａの他端から突出した部分であり、支持体３１に係合される。クランク状に形成された係合部３３１ｂを支持体３１に設けられた溝に係合させるので、強固にカバー本体部３３１と、支持体３１とを係合することができる。なお、係合部３３１ｂの形状は、支持体３１に係合すれば足り、クランク状に限るものではない。
【００２２】
導光部３３１ｃは、主部３３１ａに連続し、係合部３３１ｂの基端部分から延出した部分である。導光部３３１ｃは、カバー部３３が支持体３１に配された場合に、支持体３１の長辺端面の一部を覆うよう形成されている。これにより、支持体３１が外部に露出する面積を減らすことができる。また、導光部３３１ｃは、光源から発せられた光を導光する機能を有する。よって、光源から発せられる光が支持体３１により遮られている部分を明るくし、明るさが周囲において急激に暗くならず見栄えの良い照明器具とすることができる。
【００２３】
また、導光部３３１ｃの長さは、光源ユニット３が器具本体２に取り付けられた場合に、導光部３３１ｃが器具本体２に接触せずに一定の間隔ＧＡ（図１参照）を保つよう規定されている。このため、金属製である開口端縁に光源ユニットの樹脂部分が押しつけられることはないので、樹脂部分に圧力がかかり光源ユニット３が変形するという問題は生じない。
【００２４】
また、カバー部３３は、上述のように樹脂素材であるため、光源が点灯時に発する熱により多少伸び、消灯した場合にもとに戻るというように伸縮する場合がある。上述の間隔ＧＡは、カバー部３３に伸びが発生した場合にも、器具本体２に接触しないように規定されている。このため、カバー部３３に伸びが発生することにより導光部３３１ｃが器具本体２に接触し、軋みを発生させるというような問題は生じない。
【００２５】
＜エンドキャップ３３２、３３３＞
エンドキャップ３３２は、図５に示すように、カバー本体部３３１の短手側端部に位置する部材であり、カバー本体部３３１には固定されずに支持体３１に固定される。
【００２６】
エンドキャップ３３２は、図７（ａ）に示すように、ネジ受け部３３３ａ、固定部３３３ｂを備える。ネジ受け部３３３ａは、図７（ａ）に示すように、貫通孔が設けられた部材である。固定部３３３ｂは、支持体３１に設けられた溝に挿通され嵌合する部材であり、ネジ受け部３３３ａの貫通孔よりも孔径の広い貫通孔が設けられている。ネジ受け部３３３ａ、固定部３３３ｂは、エンドキャップ３３２と支持体３１の固定に用いられる。エンドキャップ３３２と支持体３１の固定については後述する。
【００２７】
また、エンドキャップ３３２には、切り欠きＮ１が設けられている。切り欠きＮ１は、光源と電源部３４との結線に必要な配線（図７（ｂ）参照）を挿通するのに用いられる。
【００２８】
エンドキャップ３３３は、エンドキャップ３３２と同様の構成を備える。
【００２９】
＜電源部３４＞
電源部３４は、外部から供給されるＡＣ電力を、光源を駆動するためのＤＣ電力に変換し、光源に供給する機能を有する。電源部３４は支持体３１の上面に搭載される。なお、本実施形態では、上下方向として、天井に照明器具１が取り付けられる場合における、照明器具１からみて天井方向を上、床方向を下としている。
【００３０】
＜取付バネ部３５、３６＞
取付バネ部３５は、支持体３１の上面に取り付けられ、器具本体２が有するバネ受け２４に係合する部材である。取付バネ部３５がバネ受け２４に係合することにより、光源ユニット３が器具本体２に取り付けられる。取付バネ部３５は、図８（ａ）に示すように、取付バネ３５１、及びバネ保持部３５２を備える。
【００３１】
取付バネ３５１は、一例として、ダブルトーションバネであり、バネ線材を曲げ加工等して形成される。取付バネ３５１は、略コの字形状をしたフレーム部３５１ａ、フレーム部に連続しコイル状に曲げられたコイルバネ部３５１ｂ、コイルバネ部に連続しバネ保持部３５２に掛止される棒状の部分である掛止部３５１ｃを含む。
【００３２】
バネ保持部３５２は、取付バネ３５１を保持する部材であり、支持体３１に固定される。バネ保持部３５２は、金属板を折り曲げ加工等して形成される。バネ保持部３５２は、図８（ｂ）及び図８（ｃ）に示すように、板部３５２ａ、固定部３５２ｂ、孔部３５２ｃ、アーチ部３５２ｄ及び突出部３５２ｅを備える。板部３５２ａは、板状部分であり、支持体３１の光源基板３２１が取り付けられる面に対向する面に固定される。固定部３５２ｂは、取付バネ３５１のコイルバネ部３５１ｂが掛止される平板状の部分である。孔部３５２ｃは、板部３５２ａに設けられた孔であり、板部３５２ａと支持体３１とを固定するためのネジ等が挿通される。アーチ部３５２ｄは、アーチ状に加工された部分であり、アーチ内に取付バネ３５１の掛止部３５１ｃが挿通され掛止される。突出部３５２ｅは、板部３５２ａの端部において折り曲げられて起立する部分であり、その作用はのちに支持体３１とともに説明する。
【００３３】
取付バネ部３６は、器具本体２が有するバネ受け２５に係合する部材である。取付バネ部３６の構成は、取付バネ部３５と同様である。
【００３４】
＜支持体３１＞
支持体３１は、図５及び上面図である図９（ａ）に示すように長尺板状の部材である。支持体３１は、アルミ合金などの金属材料で押出成形により形成され、光源部３２が発する熱を放散するためのヒートシンクとして機能する。支持体３１の形状は、短手方向からみて左右対称となっている。なお、以下の説明では、支持体３１及び支持体３１を構成する部分について、正面断面図である図９（ｂ）に示すように、光源部３２が配される側の面を第１の面Ｓ１といい、第１の面Ｓ１に対向する面を第２の面Ｓ２という。光源ユニット３が器具本体２に取り付けられた場合には、第２の面Ｓ２が、収容凹部２２側を向くことになる。
【００３５】
支持体３１は、図９（ｂ）に示すように、底板部３１ａ、側壁部３１ｂ、基板抑え部３１ｃ、反射板部３１ｄ、係止溝部３１ｅ、移動規制部３１ｆ及びバネ板抑え部３１ｇを備える。
【００３６】
底板部３１ａは、支持体３１の短手方向中央の平坦な長尺板状の部分である。底板部３１ａの第１の面Ｓ１に光源部３２が配され、第２の面Ｓ２に取付バネ部３５、取付バネ部３６及び電源部３４が配される。底板部３１ａの短手方向の長さは、光源基板３２１の短手方向の長さより僅かに長い。
【００３７】
なお、以下の図９（ｂ）に示す構成の説明においては、図９（ｂ）に示すように便宜的に、第１の面Ｓ１が向いている方を下、第２の面Ｓ２が向いている方を上、底板部３１ａの中心軸からみて長辺の方を外、長辺からみて中心軸の方を内という。
【００３８】
側壁部３１ｂは、底板部３１ａの長辺端から起立する壁部である。側壁部３１ｂは、光源部３２が支持体３１の第１の面Ｓ１に配された場合に、短手方向の位置が変化しないよう光源部３２の短手方向の移動を規制する。
【００３９】
基板抑え部３１ｃは、側壁部３１ｂに連続し、側壁部３１ｂの下端部分から内向きに突出する板状部分である。基板抑え部３１ｃは、光源基板３２１が支持体３１の第１の面Ｓ１に配された場合に、光源基板３２１の位置が上下方向に変化しないよう移動を規制する機能を有する。
【００４０】
反射板部３１ｄは、側壁部３１ｂに連続し、側壁部３１ｂの下端部分から外向きに突出する板状部分である。反射板部３１ｄの第１の面Ｓ１は、光源３２２から出射される光を反射する機能を有する。反射板部３１ｄの第１の面Ｓ１は、例えば白色塗装されている。また、反射板部３１ｄは、外に向かうにつれて下へと傾斜している。このように反射板部３１ｄを傾斜させることにより、底板部３１ａを反射板部３１ｄの外側端部Ｅよりも上側に位置させ、底板部３１ａをカバー部３３から離すようにしている。光源ユニット３が器具本体２に取り付けられた場合に、底板部３１ａの、収容凹部２２の底面部２２１に対向する面（第２の面Ｓ２）は、収容凹部２２の開口端縁２２８に接触している面よりも、底面部２２１に近い。こうすることで、個々の光源３２２が発してカバー本体部３３１に当たった光によりカバー本体部３３１に生じるつぶつぶ感を低減し、又は無くし得る。
【００４１】
係止溝部３１ｅは、反射板部３１ｄの外側端部に連続し、カバー部３３の係合部３３１ｂに係合する溝の一例として、光源基板３２１が取り付けられる面側が開口する溝Ｄが設けられた部分である。係止溝部３１ｅは、カバー本体部３３１の係合部３３１ｂと係合することにより、カバー本体部３３１が支持体３１から外れないようにする。係止溝部３１ｅは、底板部３１ａの第２の面Ｓ２と同じ側の面ＣＳが、開口端縁２２８に接触する。
【００４２】
移動規制部３１ｆは、支持体３１の光源基板３２１が取り付けられる面の反対面側の、開口端縁２２８に接触する部分よりも内側から立設し、支持体３１が器具本体２に取り付けられた場合に、光源ユニット３が器具本体２に対し所定長以上短手方向にずれないよう位置を規制する機能を有する。つまり、移動規制部３１ｆは、図１に示すように、光源ユニット３が器具本体２に取り付けられた場合に、収容凹部２２の内に位置することになる。光源ユニット３が器具本体２に対し、短辺に沿う方向に所定長以上ずれそうになった場合、移動規制部３１ｆが収容凹部２２の長辺側面部２２２、２２３と干渉することになる。
【００４３】
バネ板抑え部３１ｇは、移動規制部３１ｆから内向きに突出する板状部分である。バネ板抑え部３１ｇは、取付バネ部３５が支持体３１の第２の面Ｓ２に固定された場合に、取付バネ部３５の突出部３５２ｅの端部に対して上方向への移動を規制する。
【００４４】
＜１．４．光源ユニット３の組み立て＞
（１）光源部３２の支持体３１への取り付け
図５を参照して光源部３２を支持体３１に取り付ける場合、支持体３１の短辺側から、光源基板３２１の長辺及びその近傍が、図９（ｂ）記載の支持体３１の底板部３１ａ、側壁部３１ｂ及び基板抑え部３１ｃで囲まれた領域内に位置するようにし、光源部３２を支持体３１の長手方向にスライドさせる。
【００４５】
（２）カバー部３３の支持体３１への取り付け
図５を参照してカバー部３３を支持体３１に取り付ける場合、支持体３１の短辺側から、図６に記載のカバー部３３の係合部３３１ｂが、図９（ｂ）記載の支持体３１の係止溝部３１ｅに設けられた溝Ｄに係合するようにし、カバー本体部３３１を支持体３１の長手方向にスライドさせる。この構成により、支持体３１とカバー部３３とを固定するために別途ビス等を用いる必要がなくなり、また固定する場合の作業者の手間が少なくなる。
【００４６】
（３）取付バネ部３５及び取付バネ部３６の支持体３１への取り付け
取付バネ部３５を支持体３１に取り付ける場合、支持体３１の短辺側から、図８（ｃ）記載の取付バネ部３５の板部３５２ａの端部及び突出部３５２ｅが、図９（ｂ）記載の支持体３１の反射板部３１ｄ及びバネ板抑え部３１ｇの間に位置するように、支持体３１の長手方向にスライドさせる。そして、取付バネ部３５が支持体３１に対して所定の位置にくるまでスライドされた後、バネ保持部３５２の孔部３５２ｃにネジが挿通され支持体３１にネジ止めされる。
【００４７】
突出部３５２ｅは、反射板部３１ｄ及びバネ板抑え部３１ｇの間にはめこまれるので、仮に孔部３５２ｃに挿通されたネジが外れた場合にも、取付バネ部３５が支持体３１から分離し脱落してしまうのを防ぐことができる。
【００４８】
取付バネ部３６の支持体３１への取り付けは、取付バネ部３５の支持体３１への取り付けと同様である。
【００４９】
（４）エンドキャップ３３２及びエンドキャップ３３３の支持体３１への取り付け
図５を参照して、エンドキャップ３３２は、カバー部３３が支持体３１に取り付けられた後に、支持体３１に取り付けられる。図７（ａ）及び（ｂ）を参照して、エンドキャップ３３２を支持体３１に取り付ける場合、エンドキャップ３３２を支持体３１の短辺側から、エンドキャップ３３２の固定部３３３ｂが反射板部３１ｄの第２の面Ｓ２に接するように、支持体３１の長手方向にスライドさせる。このとき、支持体３１の短辺の端部付近を、ネジ受け部３３３ａと固定部３３３ｂの間に位置させる。
【００５０】
ここで、支持体３１において、固定部３３３ｂの貫通孔と重なる部分には、固定部３３３ｂの孔径と同径の貫通孔が設けられている。この状態で、固定部３３３ｂ側から、固定部３３３ｂの貫通孔、支持体３１の貫通孔を通して、ネジ受け部３３３ａの貫通孔へとタッピングネジを締め付ける。タッピングネジは、ネジ受け部３３３ａの貫通孔にねじ立てする。これにより、支持体３１がネジ受け部３３３ａと固定部３３３ｂとに挟まれ、エンドキャップ３３２と支持体３１とが固定される。
【００５１】
エンドキャップ３３３の支持体３１への取り付けは、エンドキャップ３３２の支持体３１への取り付けと同様である。
【００５２】
＜１．５．器具本体２の天井への設置、光源ユニット３の器具本体２への取り付け＞
以下の手順で、照明器具１を天井に設置する。なお、天井でなくレースウェイ等のバー金具に設置してもよい。
【００５３】
（１）図３を参照し、天井側から延びた吊ボルト６ａ、７ａに器具本体２の孔を通し、吊りボルト６ｂ，７ｂで器具本体２を天井に固定する。なお、吊りボルトを用いずに下からビスで器具本体２を固定してもよい。
【００５４】
（２）電源ケーブル８を、端子台２７と接続する。
【００５５】
（３）光源ユニット３側の取付バネ部３５のバネ３５１を、器具本体２側のバネ受け２４のフック部２４１（図４参照）に掛ける。この状態を「光源ユニット係止状態」とする。取付バネ部３６についても同様にバネ受け２５に掛ける。
【００５６】
（４）係止状態において、器具本体３の端子台から延びた電源コードのコネクタ（図示せず）と、光源ユニット３から延びた電源コードのコネクタ（図示せず）を接続する。
【００５７】
（５）光源ユニット３を上に押し上げる。すると、バネ３５１がバネ受け２４の挿通孔２４２に入る。バネの力により光源ユニット３が引き上げられ、光源ユニット３の支持部３１が器具本体２の開口端縁２２８に押し付けられて接触する。この状態を「光源ユニット設置状態」といい、その断面図が図１に示されている。このように剛性のある金属製の支持体を金属製の器具本体に引き上げ固定することにより、両者の間に隙間が生じにくく、照明器具の外側である横方向から見上げた場合であってもきれいな見栄えが実現できる。
【００５８】
＜２．第２の実施形態＞
第１の実施形態では、光源基板３２１の光源３２２を配置する面には反射シートを貼付していなかったが、これを貼付することとしてもよい。本実施形態では、反射シートが剥がれても落下しないように抑える抑え部材１０１０をさらに設けている。以下、本実施形態について、抑え部材１０１０（図１０参照）の構成を中心に説明する。
【００５９】
図１０（ｂ）〜（ｃ）に示すように、支持体３１の底板部３１ａの第１の面Ｓ１に光源部３２が載置され、その光源部３２の光源３２２側の面上に光反射率が例えば９０％以上と高い白色の反射シート１０２０が貼付され、その反射シート１０２０の露出する側の面上に、抑え部材１０１０が取り付けられる。反射シート１０２０には、図１０（ｂ）に示すように、光源３２２の位置に合わせて開口Ｈ１０が設けられているので、反射シート１０２０が光源３２２を覆ってしまうことはない。
【００６０】
抑え部材１０１０は、図１０（ａ）に示すように、抑え板部１０１０ａ、リブ部１０１０ｂ、把持爪１０１０ｃ、及び把持爪１０１０ｄを備える。抑え板部１０１０ａは、平板状の部分であり、反射シートを抑える機能を有する。リブ部１０１０ｂは、抑え板部１０１０ａの短手中央から立設する板状のリブであり、抑え板部１０１０ａの長手方向の撓みを防止し、かつ、厚みは、軽量化のため抑え板部１０１０ａの短辺長よりも薄くなっている。把持爪１０１０ｃは、抑え部材１０１０が支持体３１に取り付けられた場合に、基板抑え部３１ｃと底板部３１ａとに挟まれる。これにより、抑え部材１０１０が上下方向にずれないよう移動が規制される。
【００６１】
なお、光源基板３２１において、把持爪１０１０ｃが配置される部分の近傍は、図１０（ｂ）に示すように、把持爪１０１０ｃの形に合わせた切り欠きＮ１０が設けられている。この切り欠きＮ１０部分に把持爪１０１０ｃが位置するので、把持爪１０１０ｃ、抑え部材１０１０が、支持体３１の長手方向に移動するのが規制される。なお、光源基板３２１において切り欠きＮ１０部分がなくても、例えば把持爪１０１０ｃを薄くすることにより、抑え部材１０１０を用いることができる。
【００６２】
把持爪１０１０ｄは、抑え部材１０１０が支持体３１に取り付けられた場合に、把持爪１０１０ｃとで基板抑え部３１ｃを挟み込む。これにより、抑え部材１０１０の移動を規制する。
【００６３】
＜３．第３の実施形態＞
第１の実施形態における支持体３１は、長尺状の部材であるため、特に長手方向に撓む可能性があり、撓まないよう補強するのがより望ましい。このため、本実施形態に係る支持体１０００は、図１１（ａ）に示すように支持体３１の反射板部３１ｄの第２の面Ｓ２に、リブ１１００及びリブ１１０１を設けたものである。
【００６４】
リブ１１００及びリブ１１０１は、支持体１０００の一短辺から他短辺まで長手方向に立設している。これにより、支持体１０００は、長手方向に撓みにくくなるよう補強された状態になっている。
【００６５】
また、第１の実施形態では、支持体３１に取付バネ部３５などの取り付け対象部材をネジ止めする場合、支持体３１の反射板部３１ｄにネジ止めしていた。反射板部３１ｄは、底板部３１ａに対して傾斜しているため、反射板部３１ｄに垂直にネジ止めするには、底板部３１ａを基準として斜め方向にネジ止めすることとなり、ネジに力を加えにくく作業効率が低下する可能性がある。
【００６６】
しかしながら、リブ１１００の上端とリブ１１０１の上端とを結ぶ線は、底板部３１ａに平行になっている。取付バネ部３５などの取付対象部材１１２０は、底板部３１ａ、リブ１１００、及びリブ１１０１に跨り配置される。取付対象部材１１２０におけるネジ止め位置は、リブ１１００とリブ１１０１の間に相当する位置であり、この位置に予め孔が開けられている。また、リブ１１００とリブ１１０１との間の、ネジＢを締め付ける位置には予めネジ切り（図１１（ｂ）のネジ切りＮ１１００、及びＮ１１０１）されることでネジ孔が形成されている。このネジ孔にネジＢが挿通され、ネジＢがリブ１１００及びリブ１１０１のネジ孔に締め付けられ、取付対象部材１１２０と支持体１１００とが密着固定される。
【００６７】
取付対象部材１１２０のネジ止め位置部分が、底板部３１ａに対して平行になっているので、ネジ止めを行う作業者は、底板部３１ａを基準として垂直方向にネジ止めすることができ、底板部３１ａに対して斜めにネジ止めする場合にくらべ、ネジに力が加えやすくなり作業効率は向上する。
【００６８】
なお、上述のように予めリブ１１００とリブ１１０１との間にネジ切りをせずに、タッピングネジをリブ１１００とリブ１１０１の間にねじ込むことで、支持体３１に取付対象部材をネジ止めすることとしてもよい。
【００６９】
＜４．変形例その他＞
以上、本発明に係る照明器具の実施形態を説明したが、例示した照明器具を例えば以下のように変形することも可能であり、本発明が上述の実施形態で示した通りの照明器具に限られないことは勿論である。
【００７０】
（１）上述の実施形態では、無線通信について説明をしなかったが、支持体３１の第２の面Ｓ２側に無線通信を行うデバイスを配することとしてもよい。例えば、電源部３４が、図３に示すように無線通信を行うデバイス３８を備えることとしてもよい。この場合に、デバイス３８が、金属製の器具本体２と支持体３１とに囲まれた空間に配されることとなり、無線通信用の電波の放出を妨げられる場合がある。これを回避するために、底板部３１ａに、図５及び図９に示すように、支持体３１における無線通信用のデバイスが配される位置の近傍に孔Ｈが開いていてもよい。こうすることで、無線通信用の電波が非金属性の光源基板３２１を介して照明器具１外に放出されやすくなる。
【００７１】
（２）上述の実施形態では、支持体３１の第１の面Ｓ１側の部材と、第２の面Ｓ２側の部材との間の配線について説明をしなかったが、図７（ｂ）に示すように、エンドキャップ３３３に設けた切り欠きＮ１（図７（ａ）参照）と光源基板３２１に設けた切り欠きＮ２とが構成する孔に配線を通すこととしてもよい。切り欠きＮ１と切り欠きＮ２は、それぞれ半円形の切り欠きであり、合わせることで円形の孔になるよう形成されている
なお、この円形の孔は配線の径よりも大きめに構成しておき、図７（ｂ）に示すように、配線４０１にシリコンチューブ４０２を被せたり、シリコンチューブ４０２は用いずにシリコンでコーキング処理するなどして、配線を孔に通した後の配線と孔との隙間を詰めることとしてもよい。
【００７２】
（３）上述の実施形態では、反射板部３１ｄに白色塗装することで反射機能を高めることとしていたが、反射板として機能すれば足り、例えば、反射板３１ｄに白色塗装をする代わりに反射シートなどの反射部材を貼ってもよい。このとき、反射シートの剥離を防止するために、抑え部材１０１０に代え、図１２に示す抑え部材１０５０を用いてもよい。抑え部材１０５０は、抑え部材１０１０に対し、把持爪１０１０ｄに連続するシート抑え１０５０ｄを加えたものである。シート抑え１０５０ｄは、抑え部材１０５０が支持体３１に取り付けられた場合に、反射板部３１ｄに貼り付けられた反射シートの剥離を防止する機能を有する。
【００７３】
（４）上述の実施形態では、光源３２２は、光源基板３２１の第１の面Ｓ１上に実装することとしたが、光源３２２が実装されれば足り、例えば、光源基板３２１を用いずに光源３２２を支持体３１に直接実装してもよい。
【００７４】
（５）本発明の各部構成は上記実施形態及び変形例に限らず、特許請求の範囲に記載の技術的範囲内で種々の変形が可能である。例えば、上記照明器具の各部構成は、ＬＥＤに係る照明器具に限定されていない様々な照明器具に適用することが出来る。
【００７５】
（６）上述の実施形態及び各変形例を、部分的に組み合せてもよい。
【００７６】
＜５．補足＞
以下、更に本発明の一実施形態としての照明器具の構成及びその変形例と効果について説明する。
【００７７】
（１）本発明の一実施形態に係る照明器具は、長尺状の光源ユニットと、前記光源ユニットが取り付けられる器具本体とを備える照明器具であって、前記器具本体は、前記光源ユニットの少なくとも一部を収容する収容凹部を有し、前記光源ユニットは、複数の光源が実装された光源基板と、前記光源基板が取り付けられる支持体と、前記光源基板を覆うようにして前記支持体に取り付けられるカバー部とを備え、前記光源ユニットが前記器具本体に取り付けられた状態では、前記カバー部は前記収容凹部の開口端縁に接触せずに、前記支持体が前記収容凹部の開口端縁に接触する。
【００７８】
この構成により、本発明に係る照明器具は、開口端縁に光源ユニットのカバー部が押しつけられることがないため、カバー部に圧力がかかることにより変形してしまうのを抑制することができる。
【００７９】
（２）また、前記支持体において、前記光源基板が取り付けられている底板部の、前記光源基板が取り付けられる面の反対面は、前記開口端縁と接触している面よりも前記収容凹部の底面に近いこととしてもよい。
【００８０】
この構成により、光源をカバー部から離し、光源が発してカバー本体に当たった光によりカバー本体に生じるつぶつぶ感を低減し、又は無くし得る。
【００８１】
（３）また、前記支持体は、前記光源基板が取り付けられる面の反対面における前記開口端縁に接触する部分よりも内側において、前記収容凹部側に立設した移動規制部を備えることとしてもよい。
【００８２】
この構成により、支持体の短手方向の移動を収容凹部の側面と干渉することで規制することができる。
【００８３】
（４）また、前記カバー部は、内向きに突出する断面クランク状に形成された係合部を備え、前記支持体は、前記光源基板が取り付けられる面側が開口し、前記係合部に係合する係止溝部を備えることとしてもよい。
【００８４】
この構成により、支持体とカバー部とを強固に係合させることができる。
【００８５】
（５）また、前記カバー部は、前記支持体の長辺端の一部を覆う導光部を備えることとしてもよい。
【００８６】
この構成により、暗い部分を減らすことができる。
【符号の説明】
【００８７】
１    照明器具
２    器具本体
３    光源ユニット
５    天井面
６ａ  吊りボルト
８    電源ケーブル
２１    筐体
２２    収容凹部
２４、２５    バネ受け
２７    電源端子台
３１    支持体
３１ａ  底板部
３１ｂ  側壁部
３１ｃ  基板抑え部
３１ｄ  反射板部
３１ｅ  係止溝部
３１ｆ  移動規制部
３１ｇ  バネ板抑え部
３２    光源部
３３    カバー部
３４    電源部
３５、３６  取付バネ部
３８  デバイス
２１１    反射板部
２２１    底面部
２２２、２２３  長辺側面部
２２４、２２５  短辺側面部
２２８    開口端縁
２４１    フック部
２４２    挿通孔
３２１    光源基板
３２２、３２２ａ、３２２ｂ    光源
３３１    カバー本体部
３３１ａ  主部
３３１ｂ  係合部
３３１ｃ  導光部
３３２、３３３  エンドキャップ
３３３ａ  ネジ受け部
３３３ｂ  固定部
３５１    取付バネ
３５１ａ  フレーム部
３５１ｂ  コイルバネ部
３５１ｃ  掛止部
３５２    バネ保持部
３５２ａ  板部
３５２ｂ  固定部
３５２ｃ  孔部
３５２ｄ  アーチ部
３５２ｅ  突出部
４０１    配線
４０２    シリコンチューブ
１０００  支持体
１０１０、１０５０  抑え部材
１０１０ａ    板部
１０１０ｂ    リブ部
１０１０ｃ、１０１０ｄ  把持爪
１０２０    反射シート
１１００、１１０１    リブ
１１２０    取付対象部材
Ｂ    ネジ
Ｄ    溝
ＧＡ  間隔
Ｌ１、Ｌ２  光路
Ｈ        孔
Ｈ１０    開口
Ｎ１，Ｎ２      切り欠き
Ｎ１０          切り欠き
Ｎ１１００、Ｎ１１０１  ネジ切り
Ｓ１    第１の面
Ｓ２    第２の面
【図１】
2019207784.tif 000003
【図２】
2019207784.tif 000004
【図３】
2019207784.tif 000005
【図４】
2019207784.tif 000006
【図５】
2019207784.tif 000007
【図６】
2019207784.tif 000008
【図７】
2019207784.tif 000009
【図８】
2019207784.tif 000010
【図９】
2019207784.tif 000011
【図１０】
2019207784.tif 000012
【図１１】
2019207784.tif 000013
【図１２】
2019207784.tif 000014